(57)【特許請求の範囲】
【請求項１】
複数の光コネクタアダプタが並ぶアダプタ配列部が左右方向に所定間隔で並んで配置されることによって前記光コネクタアダプタが２次元配置されている配線盤に取り付けるための補助具であって、
ベースと、
前記光コネクタアダプタを識別するための複数の識別部が並んで配置された複数のプレートと
を備え、
前記ベースが前記左右方向に沿って前記配線盤に取り付けられたときに、それぞれの前記アダプタ配列部に対応して前記プレートがそれぞれ設置され、それぞれの前記光コネクタアダプタに対応して前記識別部がそれぞれ設置されるように、前記複数のプレートが前記ベースに沿って前記所定間隔で設けられており、
前記ベースを前記配線盤に取り付けるための治具を有し、
前記ベースは、治具を介して前記配線盤に取り付けられ、
前記治具は、前記ベースを前記配線盤に取り付けるときに前記ベースを支持するための支持部を有し、
前記ベースの両端には、前記ベースを前記配線盤に取り付けるときに作業者が前記ベースを持つための取手が設けられており、
前記ベースの両端の前記取手には外側に向かって湾曲した湾曲部が設けられており、
前記湾曲部同士の間隔は、前記プレートの先端を前記配線盤に向けたときに、前記配線盤の側ほど広くなっている
ことを特徴とする補助具。
【請求項２】
請求項１に記載の補助具であって、
前記治具の前記支持部には、前記ベースを前記支持部に一旦載置するための凹部が形成されている
ことを特徴とする補助具。
【請求項３】
請求項１又は２に記載の補助具であって、
前記治具は、前記配線盤の種類を検出するためのセンサを保持する保持部を備えている
ことを特徴とする補助具。
【請求項４】
請求項１〜３のいずれかに記載の補助具であって、
前記識別部は、発光部を備えている
ことを特徴とする補助具。
【請求項５】
請求項１〜４のいずれかに記載の補助具であって、
前記識別部は、前記左右方向に関して、対応する前記光コネクタアダプタの側に寄って、前記プレートに配置されている
ことを特徴とする補助具。
【請求項６】
複数の光コネクタアダプタが並ぶアダプタ配列部が左右方向に所定間隔で並んで配置されることによって前記光コネクタアダプタが２次元配置されている配線盤への補助具の取り付け方法であって、
前記光コネクタアダプタを識別するための複数の識別部が並んで配置された複数のプレートがベースに沿って前記所定間隔で設けられた前記補助具を、前記ベースが前記左右方向に沿うように、前記配線盤に取り付けて、
それぞれの前記アダプタ配列部に対応して前記プレートをそれぞれ設置するとともに、
それぞれの前記光コネクタアダプタに対応して前記識別部をそれぞれ設置する際に、
前記光コネクタアダプタの上側で、前記複数のプレートの端部が前記配線盤の前面に向くように、前記複数のプレートを寝かせた状態で前記補助具を持ち、
前記プレートが徐々に垂直になるように前記補助具を回転させて、前記左右方向に隣接する前記光コネクタアダプタの間の隙間に、上側から、前記プレートの端部を挿入し、
前記左右方向に隣接する前記光コネクタアダプタの間の隙間に、前記プレートを配置させる
ことを特徴とする補助具の取り付け方法。
【請求項７】
請求項６に記載の補助具の取り付け方法であって、
前記配線盤の前記光コネクタアダプタに光コネクタが接続された状態で、前記配線盤に前記補助具を取り付ける
ことを特徴とする補助具の取り付け方法。
【発明の詳細な説明】
【技術分野】
【０００１】
本発明は、光コネクタアダプタを識別するための補助具及び補助具の取り付け方法に関する。
【背景技術】
【０００２】
光コネクタアダプタが２次元配置されている配線盤が知られている。このような配線盤では、通常、複数の光コネクタアダプタが上下方向に並んでいるアダプタ配列部を左右方向に並べて配置させることによって、光コネクタアダプタが２次元配置されている。
【０００３】
このような配線盤では、光コネクタアダプタが高密度に配置されているため、着脱対象となる光コネクタアダプタを作業者が間違えやすい。そこで、それぞれの光コネクタアダプタを識別するための識別部を配線盤に設置することがある（特許文献１〜４参照）。
【先行技術文献】
【特許文献】
【０００４】
【特許文献１】特開２００２−２１４４８０号公報
【特許文献２】特開２００７−２２１４００号公報
【特許文献３】特開２００８−２２４８９１号公報
【特許文献４】特開２０１０−１４５５３４号公報
【発明の概要】
【発明が解決しようとする課題】
【０００５】
特許文献１には、識別番号が１列に並ぶ誤脱防止プレートが記載されている。この誤脱防止プレートがアダプタモジュール（アダプタ配列部に相当）に取り付けられることによって、誤脱防止プレートの識別番号がそれぞれの光コネクタアダプタの近傍に配置されることになる。  
但し、特許文献１の誤脱防止プレートでは、１列分の識別番号しか付与できない。このため、２次元配置された光コネクタアダプタのそれぞれに識別表示するためには、多数の誤脱防止プレートを繰り返し取り付ける必要が生じてしまう。
【０００６】
特許文献２には、配線盤に行ＬＥＤと列ＬＥＤが設けられている。そして、行ＬＥＤと列ＬＥＤを点滅させることによって、対象となる光コネクタアダプタを識別させようとしている。  
但し、特許文献２では、既存の配線盤（識別表示の無い配線盤）に識別表示を新たに付与することは想定していない。また、着脱対象となる光コネクタアダプタが行ＬＥＤや列ＬＥＤから離れているため、作業者が誤認識するおそれがある。
【０００７】
特許文献３には、上下に並ぶ光コネクタアダプタを識別するための線番表示が設けられたシート（コネクタ作業用の補助具）が記載されている。このシートがアダプタ配列部に設けられることによって、線番表示を利用した光ファイバの位置確認が行われることになる。  
但し、特許文献３では、１列分の線番しか付与できない。したがって、特許文献１と同様に、２次元配置された光コネクタアダプタのそれぞれに線番表示するためには、多数のシートを繰り返し取り付ける必要が生じてしまう。
【０００８】
特許文献４には、複数の識別用発光部が１列に並ぶ取付体が記載されている。この取付体を、配線盤の接続パネルに設けられた接続端子に接続することによって、識別用発光部が光コネクタアダプタの近傍に配置され、識別用発光部を発光させて光コネクタアダプタの識別が行われることになる。  
但し、特許文献４では、取付体は１列分の識別用発光部しか備えていない。したがって、特許文献１と同様に、２次元配置された光コネクタアダプタのそれぞれに識別用発光部を配置するためには、多数の取付体を繰り返し取り付ける必要が生じてしまう。
【０００９】
本発明は、２次元配置された光コネクタアダプタのそれぞれに識別部をまとめて取り付けることを目的とする。
【００１０】
ところで、既存の配線盤のそれぞれの光コネクタアダプタの近傍に識別部を配置しようとする場合、光コネクタアダプタに接続された光コネクタから延び出る光コード（配線盤の前面から延び出る光コード）を避けながら、その光コードよりも奥に位置する光コネクタアダプタの近傍に識別部を配置させる必要がある。このため、本発明は、光コネクタアダプタに光コネクタが既に接続されている既存の配線盤に対して、光コネクタから延出する光コードを避けながら、光コネクタアダプタの近傍に識別部を配置することを可能にすることを目的とする。
【課題を解決するための手段】
【００１１】
上記目的を達成するための主たる発明は、複数の光コネクタアダプタが並ぶアダプタ配列部が左右方向に所定間隔で並んで配置されることによって前記光コネクタアダプタが２次元配置されている配線盤に取り付けるための補助具であって、ベースと、前記光コネクタアダプタを識別するための複数の識別部が並んで配置された複数のプレートとを備え、前記ベースが前記左右方向に沿って前記配線盤に取り付けられたときに、それぞれの前記アダプタ配列部に対応して前記プレートがそれぞれ設置され、それぞれの前記光コネクタアダプタに対応して前記識別部がそれぞれ設置されるように、前記複数のプレートが前記ベースに沿って前記所定間隔で設けられており、前記ベースを前記配線盤に取り付けるための治具を有し、前記ベースは、治具を介して前記配線盤に取り付けられ、前記治具は、前記ベースを前記配線盤に取り付けるときに前記ベースを支持するための支持部を有し、前記ベースの両端には、前記ベースを前記配線盤に取り付けるときに作業者が前記ベースを持つための取手が設けられており、前記ベースの両端の前記取手には外側に向かって湾曲した湾曲部が設けられており、前記湾曲部同士の間隔は、前記プレートの先端を前記配線盤に向けたときに、前記配線盤の側ほど広くなっていることを特徴とする補助具である。
本発明の他の特徴については、後述する明細書及び図面の記載により明らかにする。
【００１２】
本発明の他の特徴については、後述する明細書及び図面の記載により明らかにする。
【発明の効果】
【００１３】
本発明によれば、２次元配置された光コネクタアダプタのそれぞれに識別部をまとめて取り付けることが可能になる。
【図面の簡単な説明】
【００１４】
【図１】図１は、コネクタ作業用の補助具を取り付ける前の配線盤１０の斜視図である。
【図２】図２は、図１の配線盤１０の前面右側近傍の一部拡大図である。
【図３】図３は、図１の配線盤１０に多数の光コネクタ２０が接続されているときの様子の斜視図である。
【図４】図４は、図３の光コネクタアダプタ１６の近傍の一部拡大図である。
【図５】図５は、コネクタ作業用の補助具の本体部４０の斜視図である。
【図６】図６は、図５の本体部４０の両端の構成の説明図である。
【図７】図７Ａ及び図７Ｂは、コネクタ作業用の補助具の治具５０の斜視図である。図７Ａは治具５０を斜め右側から見た図であり、図７Ｂは治具５０を斜め左側から見た図である。
【図８】図８は、配線盤１０に補助具を取り付けた状態の斜視図である。
【図９】図９は、図８の治具５０近傍の一部拡大図である。
【図１０】図１０は、補助具を配線盤１０に取り付ける際の作業フロー図である。
【図１１】図１１Ａ〜図１１Ｆは、補助具を配線盤１０に取り付ける様子を右側から見た図である。
【図１２】図１２Ａは、配線管理システムの説明図である。図１２Ｂは、管理端末２の説明図である。
【図１３】図１３は、挿抜工具３及び受光部３Ａの斜視図である。
【図１４】図１４は、第２実施形態の補助具の説明図である。
【図１５】図１５は、第３実施形態の補助具の説明図である。
【発明を実施するための形態】
【００１５】
後述する明細書及び図面の記載から、少なくとも以下の事項が明らかとなる。
【００１６】
複数の光コネクタアダプタが並ぶアダプタ配列部が左右方向に所定間隔で並んで配置されることによって前記光コネクタアダプタが２次元配置されている配線盤に取り付けるための補助具であって、ベースと、前記光コネクタアダプタを識別するための複数の識別部が並んで配置された複数のプレートとを備え、前記ベースが前記左右方向に沿って前記配線盤に取り付けられたときに、それぞれの前記アダプタ配列部に対応して前記プレートがそれぞれ設置され、それぞれの前記光コネクタアダプタに対応して前記識別部がそれぞれ設置されるように、前記複数のプレートが前記ベースに沿って前記所定間隔で設けられていることを特徴とする補助具が明らかとなる。  
このような補助具によれば、２次元配置された光コネクタアダプタのそれぞれに識別部をまとめて取り付けることが可能になる。また、このような補助具によれば、光コネクタアダプタに光コネクタが既に接続されている既存の配線盤に対して補助具を取り付ける場合であっても、光コネクタから延出する光コードを避けながら、光コネクタアダプタの近傍に識別部を配置することが可能である。
【００１７】
前記ベースは、治具を介して前記配線盤に取り付けられ、前記治具は、前記ベースを前記配線盤に取り付けるときに前記ベースを支持するための支持部を有することが望ましい。これにより、作業者の取り付け作業が容易になる。
【００１８】
前記ベースの両端には、前記ベースを前記配線盤に取り付けるときに作業者が前記ベースを持つための取手が設けられていることが望ましい。これにより、作業者の取り付け作業が容易になる。
【００１９】
前記ベースの両端の前記取手には外側に向かって湾曲した湾曲部が設けられており、前記湾曲部同士の間隔は、前記プレートの先端を前記配線盤に向けたときに、前記配線盤の側ほど広くなっていることが望ましい。これにより、補助具が左右方向にずれて配線盤に取り付けられることが防止される。
【００２０】
前記治具の前記支持部には、前記ベースを前記支持部に一旦載置するための凹部が形成されていることが望ましい。これにより、作業者の取り付け作業が容易になる。
【００２１】
前記治具は、前記配線盤の種類を検出するためのセンサを保持する保持部を備えていることが望ましい。これにより、配線盤の種類の管理が容易になる。
【００２２】
前記識別部は、発光部を備えていることが望ましい。これにより、発光部の発光によって、それぞれの光コネクタアダプタを識別できる。
【００２３】
前記識別部は、前記左右方向に関して、対応する前記光コネクタアダプタの側に寄って、前記プレートに配置されていることが望ましい。これにより、識別部と左右の光コネクタアダプタとの対応関係が認識しやすくなる。
【００２４】
複数の光コネクタアダプタが並ぶアダプタ配列部が左右方向に所定間隔で並んで配置されることによって前記光コネクタアダプタが２次元配置されている配線盤への補助具の取り付け方法であって、前記光コネクタアダプタを識別するための複数の識別部が並んで配置された複数のプレートがベースに沿って前記所定間隔で設けられた前記補助具を、前記ベースが前記左右方向に沿うように、前記配線盤に取り付けて、それぞれの前記アダプタ配列部に対応して前記プレートをそれぞれ設置するとともに、それぞれの前記光コネクタアダプタに対応して前記識別部をそれぞれ設置することを特徴とする補助具の取り付け方法が明らかとなる。  
このような補助具の取り付け方法によれば、２次元配置された光コネクタアダプタのそれぞれに識別部をまとめて取り付けることが可能になる。
【００２５】
前記配線盤の前記光コネクタアダプタに光コネクタが接続された状態で、前記配線盤に前記補助具を取り付けることが望ましい。これにより、既存の配線盤に既に取り付けられている光コネクタを抜くことなく、補助具を取り付けることができる。
【００２６】
前記光コネクタアダプタの上側で、前記複数のプレートの端部が前記配線盤の前面に向くように、前記複数のプレートを寝かせた状態で前記補助具を持ち、前記プレートが徐々に垂直になるように前記補助具を回転させて、前記左右方向に隣接する前記光コネクタアダプタの間の隙間に、上側から、前記プレートの端部を挿入し、前記左右方向に隣接する前記光コネクタアダプタの間の隙間に、前記プレートを配置させることが望ましい。これにより、光コネクタから延出する光コードを避けながら、光コネクタアダプタの近傍に識別部を配置することが可能である。
【００２７】
＝＝＝第１実施形態＝＝＝
＜補助具を取り付ける前の配線盤＞
図１は、コネクタ作業用の補助具を取り付ける前の配線盤１０の斜視図である。図２は、図１の配線盤１０の前面右側近傍の一部拡大図である。図２では、説明のため、１個の光コネクタ２０が配線盤１０に接続されている。ここでは１つの配線盤１０について説明するが、配線盤１０はラックに上下方向に多段に収容されることになる。
【００２８】
以下の説明では、図１及び図２に示すように、前後、上下及び左右を定義する。すなわち、光コネクタアダプタ１６に対し光コネクタ２０を着脱する方向を前後方向とし、光コネクタアダプタ１６から見て光コネクタ２０を着脱する作業者の側を「前」とし、逆側を「後」とする。また、鉛直方向に従って「上下方向」、「上」及び「下」を定義する。また、前後方向及び上下方向と直行する方向を「左右方向」とし、光コネクタ２０を着脱する作業者から見て右側を「右」とし、左側を「左」とする。なお、「上下方向」のことを「縦方向」と呼び、「左右方向」のことを「横方向」と呼ぶこともある。
【００２９】
配線盤１０には、複数のアダプタ配列部１５が左右方向に並んで収容されている。ここでは、２５個のアダプタ配列部１５が左右方向に並んで配置されている。アダプタ配列部１５には、複数の光コネクタアダプタ１６が上下方向に並んで配置されている。ここでは、４個の光コネクタアダプタ１６が上下方向に並んで配置されている。これにより、配線盤１０には、上下方向に４個、左右方向に２５個、計１００個の光コネクタアダプタ１６が２次元的に配置されている。
【００３０】
アダプタ配列部１５の４個の光コネクタアダプタ１６は、所定間隔（第１間隔Ｌ１）にて上下方向に並んで配置されている。また、複数のアダプタ配列部１５は所定間隔（第２間隔Ｌ２）にて左右方向に並んで配置されており、左右方向に並ぶ２５個の光コネクタアダプタ１６も所定の間隔（第２間隔Ｌ２）にて並んで配置されている。光コネクタアダプタ１６の上下方向の間隔（第１間隔Ｌ１）と、左右方向の間隔（第２間隔Ｌ２）は、異なっていても良い。
【００３１】
配線盤１０の前面に、フロントパネル１１がネジ１２によって固定されている。フロントパネル１１より後側の配線盤１０の内部には、２５個のアダプタ配列部１５の本体部分が収容されている。但し、フロントパネル１１の前面の開口部から、光コネクタアダプタ１６がそれぞれ前方に突出している。
【００３２】
配線盤１０の前面から張り出すように、誘導部１３と、台板１４が設けられている（図１参照）。誘導部１３は、配線盤１０の前面から延び出た光コード２１（光コネクタアダプタ１６に接続された光コネクタ２０から延び出た光コード２１）を右側に誘導する部位である（但し、図３では、光コード２１の一部が省略されて図示されている）。台板１４は、誘導部１３により誘導された光コード２１を配線盤１０の右側側面まで支持するための部位である。
【００３３】
図３は、図１の配線盤１０に多数の光コネクタ２０が接続されているときの様子の斜視図である。  
既存の配線盤１０は、既に使用中であることが多いため、図３に示すように、光コネクタアダプタ１６に光コネクタ２０が接続されている。この場合、配線盤１０の前面から多数の光コード２１が延び出ている。更に、配線盤１０の前側において、複数本の光コード２１が束ねられていることがある。例えば、図３では、４本又は８本の光コード２１が束ねられている（図３では、光コード２１の結束部から先は省略されている）。既存の配線盤１０のそれぞれの光コネクタアダプタ１６の近傍に識別部（後述する識別部４３）を配置しようとする場合、配線盤１０の前面から延び出る光コード２１を避けながら、更には配線盤１０の前側で束ねられた光コード２１を避けながら、その光コード２１よりも後側（奥）に位置する光コネクタアダプタ１６の近傍に識別部４３を配置させる必要がある。
【００３４】
図４は、図３の光コネクタアダプタ１６の近傍の一部拡大図である。
【００３５】
光コネクタアダプタ１６は、配線盤１０の前面のフロントパネル１１よりも前方に突出している。この光コネクタアダプタ１６に、それぞれ光コネクタ２０が接続されている。光コネクタ２０は、光コネクタアダプタ１６に直接接続されることもあれば、光信号の強度を減衰させるプラグ型の光減衰器２４（図中に黒く示された部品であり、光アッテネータとも言う）を介して光コネクタアダプタ１６に接続されることもある。なお、光減衰器２４は、図に示すように、光コネクタ２０よりも外形が若干大きいことがある。
【００３６】
左右方向に隣接する光コネクタアダプタ１６の間には、隙間Ｓが形成される。特に、光コネクタアダプタ１６の左右にフランジ１６Ａがあれば、少なくともフランジ１６Ａの寸法の２倍の隙間Ｓは確保されることになる。
【００３７】
光減衰器２４が接続されている場合、光減衰器２４の左右の隙間は狭くなる（光減衰器２４は光コネクタ２０よりも外形が大きいため）。但し、光減衰器２４が接続されている場合であっても、光減衰器２４よりも後側には、左右方向に隣接する光コネクタアダプタ１６の間に隙間Ｓは確保されている。
【００３８】
なお、光コネクタ２０から延び出る光コード２１は、電気コードとは異なり、急激に湾曲させることが制限されている。例えば、光コネクタ２０にブーツ２２が設けられることによって、光コード２１の急激な湾曲が制限されている。光コード２１にはこのような制約があるため、図４に示すように、左右方向に隣接する光コネクタアダプタ１６の間の隙間Ｓは必ず確保されており、この隙間Ｓに光コード２１が入り込むことはない。この隙間Ｓは、仮に図３のように配線盤１０の前面で複数本の光コード２１が束ねられていても、確保されることになる。この点は光コード２１特有の事情であり、急激な湾曲に耐えられる電気コードの場合とは事情が異なる。
【００３９】
本実施形態では、光コネクタアダプタ１６間の隙間Ｓに、上側からプレート４２を挿入することによって、それぞれのアダプタ配列部１５に対応してプレート４２をそれぞれ設置することになる。
【００４０】
＜補助具＞
図５は、コネクタ作業用の補助具の本体部４０の斜視図である。図６は、図５の本体部４０の両端の構成の説明図である。図７Ａ及び図７Ｂは、コネクタ作業用の補助具の治具５０の斜視図である。図７Ａは治具５０を斜め右側から見た図であり、図７Ｂは治具５０を斜め左側から見た図である。図８は、配線盤１０に補助具を取り付けた状態の斜視図である。図９は、図８の治具５０近傍の一部拡大図である。なお、図５、図７Ａ及び図７Ｂでは、配線盤１０に取り付けたときの方向に沿って、前後方向、上下方向、左右方向を示している。
【００４１】
補助具は、本体部４０（図５及び図６参照）と、本体部４０を配線盤１０に取り付けるための治具５０（図７Ａ及び図７Ｂ参照：左側治具５０Ａ及び右側治具５０Ｂ）とを有する。
【００４２】
図５に示すように、本体部４０は、ベース４１と、複数のプレート４２とを備えている。ベース４１は、複数のプレート４２を支持するための基部である。ここでは、ベース４１は、各プレート４２の上側の一端を支持している。ベース４１は、左右の治具５０（図７Ａ及び図７Ｂの左側治具５０Ａ及び右側治具５０Ｂ）に架け渡し、配線盤１０の最上段の２５個の光コネクタアダプタ１６の上側に渡して配置できるように、細長い形状をしている。補助具が配線盤１０に取り付けられたとき、ベース４１の長手方向は左右方向になる。
【００４３】
ベース４１には複数のプレート４２が櫛歯状に設けられている。ここでは、２５個のプレート４２が、ベース４１に櫛歯状に設けられている。プレート４２の数は、左右方向に並ぶアダプタ配列部１５（若しくは光コネクタアダプタ１６）の数と一致している。複数のプレート４２は、ベース４１に対して同じ向きになるように、ベース４１に設けられており、補助具が配線盤１０に取り付けられたときには、全てのプレート４２がベース４１の下側になる。
【００４４】
各プレート４２の幅（左右方向の寸法）は、左右方向に隣接する光コネクタアダプタ１６の間の隙間Ｓ（図４参照）よりも細い。これにより、各プレート４２を光コネクタアダプタ１６の間の隙間Ｓに挿入することが可能になる。
【００４５】
複数のプレート４２は、所定間隔で取り付けられている。プレート４２の間隔は、左右方向に並ぶ光コネクタアダプタ１６の間隔（第２間隔Ｌ２）と一致している。これにより、それぞれのプレート４２を、光コネクタアダプタ１６の間の隙間Ｓにまとめて挿入することが可能になる。なお、各プレート４２は、対応するアダプタ配列部１５の右側に配置されることになる。
【００４６】
各プレート４２には、複数の識別部４３が上下方向に並んで配置されている。識別部４３は、光コネクタアダプタ１６を識別するための部位である。第１実施形態では、識別部４３は、発光ダイオード（ＬＥＤ）などの発光素子から構成されている。図中の各プレート４２には、４個の識別部４３が並んで配置されている。各プレート４２の識別部４３の数は、アダプタ配列部１５の光コネクタアダプタ１６の数と一致している。２５個のプレート４２のそれぞれに４個の識別部４３が設けられているため、計１００個の識別部４３がある。
【００４７】
各プレート４２の４個の識別部４３は、プレート４２の左側に寄って配置されている。これにより、識別部４３とその識別部４３の対応する光コネクタアダプタ１６との距離が近接する。したがって、作業者は、識別部４３の対応する光コネクタアダプタ１６が、右側ではなく左側であることを認識できる。なお、プレート４２は狭い隙間Ｓに挿入するため、プレート４２を対応するアダプタ配列部１５に寄せて（左側に寄せて）配置することは設計上困難であっても、代わりに識別部４３を左側に寄せて配置することによって、識別部４３と左右の光コネクタアダプタ１６との対応関係が認識しやすくなる。
【００４８】
各プレート４２の複数の識別部４３は、所定間隔で取り付けられている。この間隔は、上下方向に並ぶ光コネクタアダプタ１６の間隔（第１間隔Ｌ１）と一致している。これにより、各プレート４２のそれぞれの識別部４３を、上下方向に並ぶ光コネクタアダプタ１６にそれぞれ対応させて設置させることが可能になる。
【００４９】
ところで、本体部４０を配線盤１０に取り付けるときに、プレート４２をほぼ水平にすることがある（後述）。このような姿勢を説明することがあるため、図５に示すように、図中の上側のことを「ベース側」、図中の下側のことを「プレート端側」と呼ぶことがある。
【００５０】
本体部４０の複数のプレート４２は、ベース側ではベースによってプレート４２の間が閉じられた構造になっているが、プレート側ではプレート４２の間が開いた構造になっている。このような構造によって、光コネクタから延出する光コードを避けながら、複数のプレート４２をまとめて取り付けることが可能になる。
【００５１】
図６に示すように、本体部４０は、左側固定部４４Ａ及び右側固定部４４Ｂを備えている。左側固定部４４Ａ及び右側固定部４４Ｂは、ベース４１を治具５０に固定するための板状の部位である。左側固定部４４Ａ及び右側固定部４４Ｂは、ベース４１の両端にそれぞれ設けられており、治具５０にネジ留めするための穴がそれぞれ設けられている。
【００５２】
左側固定部４４Ａ及び右側固定部４４Ｂは、本体部４０を配線盤１０に取り付けるときに治具５０の外側に位置することになり、本体部４０の左右方向を位置決めする機能を有する。すなわち、図９に示すように、左側固定部４４Ａが左側治具５０Ａの左側（外側）に位置することによって本体部４０が右側にずれることが防止され、右側固定部４４Ｂが右側治具５０Ｂの右側（外側）に位置することによって本体部４０が左側にずれることが防止される。
【００５３】
また、本体部４０は、左右両端に取手４６（左側取手４６Ａ及び右側取手４６Ｂ）を備えている。左側取手４６Ａ及び右側取手４６Ｂは、本体部４０を配線盤１０の前面に取り付ける際に作業者が持つ部分である。左側取手４６Ａ及び右側取手４６Ｂにはそれぞれ３個の穴が形成されており、この穴に指先を引っかけることによって作業者が本体部４０を保持しやすい構成になっている。
【００５４】
左側取手４６Ａは左側固定部４４Ａから前側に突出しており、右側取手４６Ｂは右側固定部４４Ｂから前側に突出している。これにより、本体部４０の重心がベース４１やプレート４２よりも前側に位置するため、この結果、作業者がプレート４２を水平にしたときに（後述）、バランス良く本体部４０を保持できる。
【００５５】
左側取手４６Ａ及び右側取手４６Ｂは、左側固定部４４Ａ及び右側固定部４４Ｂと同様に、本体部４０を配線盤１０に取り付けるときに治具５０の外側に位置することになり、本体部４０の左右方向を位置決めする機能を有する。すなわち、図９に示すように、左側取手４６Ａが左側治具５０Ａの左側（外側）に位置することによって本体部４０が右側にずれることが防止され、右側取手４６Ｂが右側治具５０Ｂの右側（外側）に位置することによって本体部４０が左側にずれることが防止される。
【００５６】
左側取手４６Ａ及び右側取手４６Ｂの下側（プレート端側）には、それぞれ湾曲部４７が設けられている。左右の湾曲部４７は、それぞれ外側に向かって湾曲している（つまり、下側ほど外側に湾曲している）。このため、左右の湾曲部４７同士の間隔は、プレート４２を水平にしてプレート４２の先端を配線盤１０の前面に向けたときに、配線盤１０の側ほど広がることになる。これにより、本体部４０を配線盤１０に取り付けるときに、左右の湾曲部４７によって左側取手４６Ａ及び右側取手４６Ｂが治具５０の外側に案内されるため（言い換えると、左右の湾曲部４７によって左側治具５０Ａ及び右側治具５０Ｂが左側取手４６Ａ及び右側取手４６Ｂの内側に案内されるため）、左側取手４６Ａ及び右側取手４６Ｂが治具５０の内側に入り込むことが防止され、この結果、本体部４０が左右方向にずれて配線盤１０に取り付けられることが防止される。
【００５７】
なお、図６では不図示であるが、本体部４０には、識別部４３である発光素子を制御する制御基板が内蔵されている。この制御基板は、管理端末２（後述：図１２Ａ参照）から受信した信号に応じて、各識別部４３を所定の発光パターンにて発光させることができる。
【００５８】
また、本体部４０は、この制御基板との間で電気信号を送受信するためのケーブル４８（図１２Ａ参照）も備えている。但し、ケーブル４８の代わりに、制御基板に無線器を設けてワイヤレスで電気信号を送受信しても良い。
【００５９】
図７Ａ及び図７Ｂに示すように、治具５０は、左側治具５０Ａと右側治具５０Ｂから構成されている。左側治具５０Ａ及び右側治具５０Ｂは、２次元配置された光コネクタアダプタ１６を左右から挟むように、配線盤１０に取り付けられる。
【００６０】
左側治具５０Ａは、後側固定部５１と、前側固定部５３と、支持部５４とを有する。
【００６１】
後側固定部５１は、左側治具５０Ａを配線盤１０に固定するための部位であり、配線盤１０のフロントパネル１１のネジ１２に引っ掛けるための引っ掛け穴５２が設けられている。前側固定部５３は、本体部４０の左側固定部４４Ａを固定するための部位であり、左側固定部４４Ａをネジ留めするための穴が設けられている。
【００６２】
支持部５４は、本体部４０を配線盤１０に取り付けるときに本体部４０のベース４１を下から支持するための部位である。支持部５４は、本体部４０の取り付け作業中にベース４１を終始支持できるように、後側固定部５１に対して前方に突出して形成されている。このため、左側治具５０Ａを配線盤１０に取り付けたとき、左側治具５０Ａの支持部５４は、配線盤１０の前面から前方（作業者側）に突出する。
【００６３】
支持部５４は、本体部４０のベース４１を支持する機能とともに、本体部４０の左右方向を位置決めする機能も有する。すなわち、左側治具５０Ａの支持部５４が本体部４０の左側固定部４４Ａや左側取手４６Ａの右側（内側）に位置することによって、本体部４０が右側にずれることが防止される。
【００６４】
支持部５４の後側には、後側凹部５５が形成されている。後側凹部５５にベース４１が嵌ることによって、本体部４０を治具５０にネジ留めする前にベース４１が前後方向にずれることが防止される。なお、左側治具５０Ａが配線盤１０に取り付けられたときに、後側凹部５５は、光コネクタアダプタ１６の前縁よりも後側に位置している。これにより、後側凹部５５にベース４１が嵌ったときに、ベース４１を光減衰器２４（図４参照）よりも後側に位置させることができる。
【００６５】
支持部５４の前側には、前側凹部５６が形成されている。作業者は、本体部４０の取り付け作業中に本体部４０のプレート４２を水平にした状態でベース４１を前側凹部５６に一旦載置して、プレート４２を水平にした状態で本体部４０から手を離すことが可能である（後述）。
【００６６】
なお、左側治具５０Ａが配線盤１０に取り付けられたとき、支持部５４の中央部の上縁は、後側凹部５５よりも上側に位置する。これは、最上段の光コネクタアダプタ１６に光減衰器２４が接続されていたときに（図４参照）、支持部５４の中央部の上縁で支持されたベース４１と光減衰器２４との接触を防ぐためである。なお、後側凹部５５は、光減衰器２４よりも後側に位置するため、支持部５４の中央部より低くなっていても、ベース４１が光減衰器２４と接触するおそれはない。
【００６７】
右側治具５０Ｂは、左側治具５０Ａと同様に、後側固定部５１と、前側固定部５３と、支持部５４とを有する。右側治具５０Ｂの後側固定部５１、前側固定部５３及び支持部５４は、左側治具５０Ａの各部位と左右対称なだけなので、これらの部位に同じ符号を付して説明は省略する。
【００６８】
右側治具５０Ｂは、更に、配線盤１０の種類を検出するためのセンサ６０を保持するためのセンサ保持部５８を備えている。ここでは、センサ６０としてバーコードリーダが用いられているが、他のセンサ（例えば、無線タグの読み取り機など）でも良い。配線盤１０に治具５０や本体部４０が取り付けられる際に、配線盤１０には、標識６１（例えばバーコード）が貼り付けられる。標識６１には、配線盤１０の種類を識別するための配線盤ＩＤ情報（ラックの番号や、ラックにおける段番号を識別するための情報）が含まれている。そして、右側治具５０Ｂが配線盤１０に取り付けられたときに、センサ６０が標識６１を検出し、センサ６０は標識６１に含まれている配線盤ＩＤ情報を管理端末２（後述：図１２参照）に出力する。これにより、管理端末２は、補助具の取り付けられた配線盤１０を特定できる。なお、補助具が取り付けられた後、作業者は、右側治具５０Ｂからセンサ６０を取り外しても良い。
【００６９】
＜取り付け方法＞
図１０は、補助具を配線盤１０に取り付ける際の作業フロー図である。図１１Ａ〜図１１Ｆは、補助具を配線盤１０に取り付ける様子を右側から見た図である。なお、図１１Ａ〜図１１Ｆでは、図面の簡略化のため光コネクタ２０及び光コード２１は省略されている。また、図１１Ａ〜図１１Ｆでは、注目すべき部材を太線で示している。
【００７０】
配線盤１０はラックに上下方向に多段に収容されているため、或る配線盤１０の前面の上側には、上段の配線盤１０の台板１４が配置されている（図１１Ａ参照）。このため、配線盤１０に補助具を取り付けるとき、作業者は、上の配線盤１０の台板１４の下側で補助具を取り付ける必要がある。つまり、作業者は、配線盤１０の前面から延び出た多数の光コード２１（図３参照）と、上の配線盤１０の台板１４との間の上下に狭いスペースの中で、補助具を取り付ける必要がある。
【００７１】
まず、作業者は、配線盤１０の前面のフロントパネル１１の左右両側のネジ１２（図２参照）を一旦緩め（Ｓ００１）、治具５０の引っ掛け穴５２にネジ１２を引っ掛けて、ネジ１２を締め直して治具５０を固定する（Ｓ００２）。これにより、図１１Ｂに示すように、治具５０が固定される。このとき、作業者は、治具５０を内側に向かって押し付けながら、治具５０を固定する。つまり、左側治具５０Ａは右側に向かって押し付けながら固定され、右側治具５０Ｂは左側に向かって押し付けながら固定される。これにより、できるだけ治具５０の支持部５４が内側に配置され、この結果、本体部４０の左側取手４６Ａ及び右側取手４６Ｂが治具５０の内側に入り込みにくくなり、本体部４０が左右方向にずれて配線盤１０に取り付けられることが防止される。
【００７２】
次に、作業者は、プレート４２が水平に向くようにして（光コードの延び出る方向と平行になるようにして）、ベース４１を治具５０の支持部５４に載置する（Ｓ００３）。このとき、作業者は、両手で左側取手４６Ａ及び右側取手４６Ｂを持ち、ベース４１の長手方向を左右方向にさせつつ、プレート４２のプレート端側をフロントパネル１１の方に向けて（プレート４２のベース側をプレート端側よりも前にして）、本体部４０を持つ。つまり、複数のプレート４２の間が開いている側（プレート端側）をフロントパネル１１の方に向けることになる。
【００７３】
このように作業者が本体部４０を持つと、本体部４０の左右の湾曲部４７はフロントパネル１１の方を向き、左右の湾曲部４７同士の間隔は、フロントパネル１１に近い所ほど広がっている。このような姿勢で本体部４０を支持部５４に載置させようとすると、左右の湾曲部４７によって左側取手４６Ａ及び右側取手４６Ｂが治具５０の支持部５４の外側に案内される（図１１Ｃ参照）。言い換えると、左右の湾曲部４７によって治具５０の支持部５４が左側取手４６Ａ及び右側取手４６Ｂの内側に案内される。これにより、左側取手４６Ａ及び右側取手４６Ｂが治具５０の内側に入り込むことが防止される。特に、Ｓ００２において治具５０が内側に向かって押し付けながら固定されていれば、左側取手４６Ａ及び右側取手４６Ｂが治具５０の内側に入り込みにくくなる。
【００７４】
Ｓ００３の作業時には、プレート４２は、配線盤１０の前面の光コード２１（及び光アダプタや光減衰器２４）よりも上側に位置している。このため、配線盤１０の前面から延び出た光コード２１にプレート４２が接触せずに済む。
【００７５】
Ｓ００３において、作業者は、支持部５４の前側凹部５６にベース４１を一旦載置して、プレート４２を水平にした状態で本体部４０から手を離すことが可能である（図１１Ｄ参照）。これにより、作業者は、次の作業を行い易くするように本体部４０を持ち直すことができる。
【００７６】
なお、Ｓ００３の作業では、プレート４２を厳密に水平に保つ必要はなく、ほぼ水平になる程度にプレート４２を寝かせていればよい。要するに、Ｓ００３の作業では、プレート４２が光コード２１よりも上側に位置させた状態でプレート４２を倒していればよい。
【００７７】
次に、作業者は、ベース４１を治具５０に支持させながら、本体部４０を後側（奥）へ移動させる（Ｓ００４）。ベース４１を治具５０に支持させているため、作業者の負担は少なくて済む。また、左側取手４６Ａ及び右側取手４６Ｂが治具５０の支持部５４の外側にあるためベース４１が左右方向に位置決めされており、ベース４１が左右方向にずれることはない。また、この段階においても、プレート４２は配線盤１０の前面の光コード２１（及び光アダプタや光減衰器２４）よりも上側に位置しているため、配線盤１０の前面から延び出た光コード２１にプレート４２が接触せずに済む。
【００７８】
作業者は、プレート４２の端が配線盤１０の前面に接触する段階で、Ｓ００４から次の作業（Ｓ００５）に移行する。但し、プレート４２の端が光コード２１よりも後側にあれば、プレート４２の端が配線盤１０の前面に接触する前に次の作業に移行しても良い。
【００７９】
次に、作業者は、ベース４１を後側へ移動させながら、プレート４２が徐々に垂直になるように、本体部４０を回転させる（Ｓ００５、図１１Ｅ参照）。つまり、配線盤１０の前面においてプレート４２の端を下向きに沿わせながら、ベース４１を後側へ移動させる。このとき、プレート４２の端部が、光コネクタアダプタ１６の間の隙間Ｓに上側からまとめて挿入される。これにより、配線盤１０の前面から延び出た多数の光コード２１（図３参照）にプレート４２が絡まることなく、光コード２１を避けながら、作業者は、光コード２１よりも後側でプレート４２を垂直にさせることができる（Ｓ００６、図１１Ｆ参照）。
【００８０】
次に、作業者は、プレート４２を垂直にさせたまま、本体部４０を後側へ移動させる（Ｓ００７）。この段階では既にプレート４２が光コード２１よりも後側にあるため、プレート４２が光コード２１に接触することなく、本体部４０を後側へ移動させることができる。そして、ベース４１が治具５０の後側凹部５５に嵌ることによって、ベース４１が前後方向に位置決めされる。ベース４１が治具５０の後側凹部５５に嵌ると、ベース４１は、光減衰器２４（図４参照）よりも後側に配置され、最上段の２５個の光コネクタアダプタ１６の上側に渡して配置される。
【００８１】
Ｓ００７の段階で、各プレート４２は、左右方向に隣接する光コネクタアダプタ１６の間の隙間Ｓ（図４参照）に配置されている。また、各プレート４２は、それぞれのアダプタ配列部１５に対応して配置されている。ここでは、各プレート４２は、対応するアダプタ配列部１５の右側に配置されている。また、各プレート４２の識別部４３は、それぞれの光コネクタアダプタ１６の近傍に配置されている。ここでは、各識別部４３は、対応する光コネクタアダプタ１６の右側に配置されている。
【００８２】
最後に、作業者は、本体部４０の固定部と治具５０の前側固定部５３とをネジで固定することによって、本体部４０を固定させる（Ｓ００８）。これにより、本体部４０は、治具５０を介して配線盤１０に取り付けられる。
【００８３】
＜配線管理システム＞
次に、補助具を用いた配線管理システムについて説明する。図１２Ａは、配線管理システムの説明図である。図１２Ｂは、管理端末２の説明図である。
【００８４】
配線管理システム（図１２Ａ参照）は、配線盤１０が上下に多段（ここでは４段）に設置されたラック１と、管理端末２と、挿抜工具３とから構成されている。ここでは、各配線盤１０には、前述の補助具が取り付けられている。補助具の治具５０にはセンサ６０（図９参照）が保持されているが、補助具が取り付けられた後にセンサ６０を取り外すことが可能であるため、ここではセンサ６０の図示を省略している。但し、各配線盤１０の補助具にセンサ６０が保持されたままでも良い。
【００８５】
各補助具のケーブル４８がハブ５に接続されており、ハブ５と管理端末２とが接続されている。これにより、補助具の制御基板（プレート４２の識別部４３となる発光素子を制御するための制御基板）が、ハブ５とケーブル４８を介して、管理端末２に接続されている。また、挿抜工具３もハブ５を介して管理端末２に接続されている。なお、ケーブル４８による有線接続ではなく、無線接続でも良い。
【００８６】
管理端末２は、配線管理処理（下記）を実行する配線管理プログラムがインストールされた端末（例えばパーソナルコンピュータ）である。管理端末２は、記憶部と、表示部と、入力部と、制御部とを備えている。記憶部には、管理データベースが記憶されている。表示部は、作業者に情報を表示するディスプレイである。入力部は、例えば管理データベースへ情報を入力するためのキーボードである。制御部は、配線管理プログラムに従って配線管理のための各種処理を行う。
【００８７】
補助具を配線盤１０に取り付ける際に、その配線盤１０の右側に標識６１（例えばバーコード、図９参照）が貼り付けられ、補助具の治具５０を取り付けたときにセンサ６０（例えばバーコードリーダ、図９参照）が標識６１を検出し、センサ６０は標識６１に含まれている配線盤ＩＤ情報を管理端末２に送信する。配線盤ＩＤ情報を受信した管理端末２は、補助具と、その補助具が取り付けられた配線盤ＩＤ情報とを対応付けて、記憶部の管理データベースに登録（記憶）する。これにより、管理端末２は、管理データベース上で、各補助具が取り付けられた配線盤１０の位置（ラック１の番号、ラック１における配線盤１０の段番号など）を管理する。管理データベース上で補助具と配線盤ＩＤ情報との対応付けが行われれば、作業者は補助具のセンサ６０を取り外しても良い（若しくは、センサ６０と管理端末２との接続を解除しても良い）。
【００８８】
既存の配線盤１０に補助具が取り付けられる際には、既に配線盤１０の光コネクタアダプタ１６に光コネクタ２０が接続されていることが多い（図３参照）。このため、既存の配線盤１０に補助具を取り付ける際には、作業者は、現在の接続状況を管理データベースに登録する。これにより、配線盤１０ごとに（配線盤ＩＤ情報ごとに）、１００個の光コネクタアダプタ１６の位置情報（アダプタＩＤ情報）と、各光コネクタアダプタ１６の接続情報（接続の有無、接続されている場合にはその接続先などの情報）とが対応付けられて、管理データベースに登録される。現在の接続状況を管理データベースに登録するとき、作業者が管理端末２の入力部を用いて入力しても良いし、既存のデータを管理データベースに移管しても良い。
【００８９】
特定の光コネクタアダプタ１６（以下、対象アダプタ）に光コネクタ２０を接続する場合、管理端末２は、管理データベースに基づいて、その対象アダプタに対応する配線盤ＩＤ情報やアダプタＩＤ情報を特定し、対象アダプタを特定するための識別信号を、ハブ５やケーブル４８を介して、各補助具に送信する。識別情報を受信した補助具の制御基板は、識別情報に基づいて、識別情報に対応する識別部４３（発光素子）を対象用発光パターンで発光させるとともに、識別情報に対応しない識別部４３を非対象用発光パターンで発光させる。対象用発光パターンと非対象用発光パターンは、発光パターン（発光のタイミング、周波数、強度など）が異なっており、好ましくは作業者が視覚により識別可能である。挿抜工具３を用いて対応アダプタに光コネクタ２０が挿入されるとき、挿抜工具３の受光部３Ａ（図１３参照）が、対応アダプタの右側の識別部４３の発光する対象用発光パターンを受光する。仮に誤った光コネクタアダプタ１６に光コネクタ２０が挿入されると、挿抜工具３の受光部３Ａは、非対象用発光パターンを受光することになる。挿抜工具３は、受光部３Ａの受光結果を管理端末２に送信する。管理端末２は、挿抜工具３から受信した受光結果に基づいて、接続の正誤を判断し、表示部に判断結果を表示する。管理端末２は、接続の正誤の判断結果を、光コネクタ２０の挿入後に表示しても良いし、挿入前に表示しても良い。光コネクタ２０の挿入後、管理端末２は、挿抜工具３から受信した受光結果に応じて、管理データベースの登録内容を更新する。
【００９０】
対象アダプタに接続されている光コネクタ２０を抜き出す場合、管理端末２は、管理データベースに基づいて、その対象アダプタに対応する配線盤ＩＤ情報やアダプタＩＤ情報を特定し、対象アダプタを特定するための識別信号を各補助具に送信する。補助具は、識別情報に基づいて、識別情報に対応する識別部４３を対象用発光パターンで発光させるとともに、識別情報に対応しない識別部４３を非対象用発光パターンで発光させる。挿抜工具３を用いて対応アダプタから光コネクタ２０を抜き出すとき、挿抜工具３の受光部３Ａが、対応アダプタの右側の識別部４３の発光する対象用発光パターンを受光する。仮に誤った光コネクタアダプタ１６から光コネクタ２０が抜き出されると、挿抜工具３の受光部３Ａは、非対象用発光パターンを受光することになる。挿抜工具３は、受光部３Ａの受光結果を管理端末２に送信し、管理端末２は、受光結果に基づく接続の正誤判断を表示部に表示するとともに、受光結果に応じて管理データベースの登録内容を更新する。
【００９１】
なお、光コネクタ２０の着脱時に、補助具の識別部４３が、それぞれ個別の発光パターン（各識別部４３を識別可能な発光パターン）で発光していても良い。この場合、任意の光コネクタアダプタ１６に対して光コネクタ２０が着脱されるときに、挿抜工具３の受光部３Ａが、その光コネクタアダプタ１６の右側の識別部４３の発光パターンを受光する。そして、挿抜工具３は、発光パターンの受光結果を管理端末２に送信し、管理端末２は、発光パターンに基づいて、光コネクタ２０の着脱のあった光コネクタアダプタ１６を特定し、管理データベースの登録内容を更新する。
【００９２】
＝＝＝第２実施形態＝＝＝
図１４は、第２実施形態の補助具の説明図である。
【００９３】
第２実施形態の補助具の本体部４０には、治具５０に固定するための固定部（左側固定部４４Ａ及び右側固定部４４Ｂ）や、本体部４０を持つための取手４６（左側取手４６Ａ及び右側取手４６Ｂ）が設けられていない。このため、第２実施形態では本体部４０を配線盤１０に直接取り付けることになる。つまり、第２実施形態の補助具では、治具５０が不要である。
【００９４】
第２実施形態においても、複数のプレート４２がベース４１に沿って所定の間隔で取り付けられている。つまり、ベース４１には複数のプレート４２が櫛歯状に設けられている。これにより、第２実施形態においても、それぞれのプレート４２を光コネクタアダプタ１６の間の隙間Ｓにまとめて挿入することが可能である。
【００９５】
なお、第１実施形態の固定部（左側固定部４４Ａ及び右側固定部４４Ｂ）と取手４６（左側取手４６Ａ及び右側取手４６Ｂ）の両方ではなく、一方だけを無くすことも可能である。また、固定部（左側固定部４４Ａ及び右側固定部４４Ｂ）を、左右両方ではなく、片方だけにすることも可能である。取手４６（左側取手４６Ａ及び右側取手４６Ｂ）も、左右両方ではなく、片方だけにすることも可能である。
【００９６】
＝＝＝第３実施形態＝＝＝
図１５は、第３実施形態の補助具の説明図である。
【００９７】
第３実施形態の補助具のプレート４２には、光コネクタアダプタ１６を識別するための識別部として、発光素子の代わりに、識別記号が印刷されている。この識別部は、アルファベットと数字とを組み合わせた識別記号から構成されている。作業者は、識別部のアルファベットに基づいて左右方向に並ぶ光コネクタアダプタ１６を識別するとともに、識別部の数字に基づいて上下方向に並ぶ光コネクタアダプタ１６を識別することになる。
【００９８】
第３実施形態においても、複数のプレート４２がベース４１に沿って所定の間隔で取り付けられている。つまり、ベース４１には複数のプレート４２が櫛歯状に設けられている。これにより、第３実施形態においても、それぞれのプレート４２を光コネクタアダプタ１６の間の隙間Ｓにまとめて挿入することが可能である。
【００９９】
なお、第３実施形態の識別部の識別記号は、アルファベットと数字の組合せで構成されているが、アルファベット又は数字のいずれか一方で構成されていても良い。また、識別記号は、アルファベットや数字ではなく、色や模様などでも良い。
【０１００】
また、識別記号は、作業者が視認可能な記号でなく、挿抜工具３に設けた読み取り機（例えば小型カメラなど）によって機械的に読み取り可能なものでも良い。例えば、識別記号がバーコードであっても良い。また、識別部は、記号でなくても良く、例えば無線ＩＣタグでも良い。
【０１０１】
＝＝＝その他＝＝＝
上記の実施形態は、主に光コネクタアダプタを識別するための補助具や、補助具の取り付け方法について記載されているが、その記載の中には、配線管理システム、配線管理方法、配線管理プログラム、識別部付き配線盤の製造方法などの開示が含まれていることは言うまでもない。
【０１０２】
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【０１０３】
＜プレートについて＞
前述の実施形態では、プレート４２の数は、左右方向に並ぶアダプタ配列部１５（若しくは光コネクタアダプタ１６）の数と一致している。但し、プレート４２の数は、左右方向に並ぶアダプタ配列部１５（若しくは光コネクタアダプタ１６）の数と不一致でも良い。このような場合であっても、複数のプレート４２がベースに設けられていれば、２次元配置された光コネクタアダプタのそれぞれに識別部をまとめて取り付けることが可能になる。但し、プレートの数が少ない場合には、識別部の付与されない光コネクタアダプタがある。
【０１０４】
＜識別部について＞
前述の実施形態では、各プレート４２の識別部４３の数は、アダプタ配列部１５の光コネクタアダプタ１６の数と一致している。但し、各プレート４２の識別部４２の数は、アダプタ配列部１５の光コネクタアダプタ１６の数と不一致でも良い。
【０１０５】
＜取り付け方法について＞
前述の実施形態では、光コネクタアダプタ１６に光コネクタ２０が既に接続されている既存の配線盤１０に対して、補助具が取り付けられていた。但し、光コネクタ２０の接続されていない配線盤に対して補助具を取り付けても良い。このような場合であっても、２次元配置された光コネクタアダプタ１６のそれぞれに識別部４３をまとめて取り付けるという効果が得られる。
【０１０６】
前述の実施形態では、複数のプレート４２を寝かせた状態で補助具を持ち、プレート４２が徐々に垂直になるように補助具を回転させて、光コネクタアダプタ１６の間の隙間Ｓにプレート４２の端部を挿入することによって、光コネクタアダプタ１６の間の隙間Ｓにプレート４２を配置している。但し、光コネクタ２０の接続されていない配線盤に対して補助具を取り付けるのであれば、このように取り付けなくても良い。例えば、光コネクタ２０の接続されていない配線盤であれば、プレート４２を垂直にしたまま補助具を取り付けることが可能である。
【符号の説明】
【０１０７】
１  ラック、２  管理端末、３  挿抜工具、３Ａ  受光部、５  ハブ、
１０  配線盤、１１  フロントパネル、１２  ネジ、
１３  誘導部、１４  台板、
１５  アダプタ配列部、１６  光コネクタアダプタ、１６Ａ  フランジ、
２０  光コネクタ、２１  光コード、２２  ブーツ、２４  光減衰器、
４０  本体部、４１ベース、４２  プレート、４３  識別部、
４４Ａ  左側固定部、４４Ｂ  右側固定部、
４６  取手、４６Ａ  左側取手、４６Ｂ  右側取手、４７  湾曲部、
４８  ケーブル、
５０  治具、５０Ａ  左側治具、５０Ｂ  右側治具
５１  後側固定部、５２  引っ掛け穴、５３  前側固定部、
５４  支持部、
５５  後側凹部、５６  前側凹部、
５８  センサ保持部、
６０  センサ、６１  標識、
Ｓ  隙間
【図１】
0005814817.tif 000002
【図２】
0005814817.tif 000003
【図３】
0005814817.tif 000004
【図４】
0005814817.tif 000005
【図５】
0005814817.tif 000006
【図６】
0005814817.tif 000007
【図７】
0005814817.tif 000008
【図８】
0005814817.tif 000009
【図９】
0005814817.tif 000010
【図１０】
0005814817.tif 000011
【図１１】
0005814817.tif 000012
【図１２】
0005814817.tif 000013
【図１３】
0005814817.tif 000014
【図１４】
0005814817.tif 000015
【図１５】
0005814817.tif 000016